(57)【特許請求の範囲】
【請求項１】
電線の切断予定箇所の両端に接続可能な一対の接続用ケーブルと、
複数の電流センサー手段を備え、前記複数の電流センサー手段から電流値を読み取って表示する電流測定表示回路と、
前記一対の接続用ケーブルの間に接続され、抵抗器とスイッチ手段の直列回路からなるスイッチ回路が並列に複数個接続された回路を含み、かつ前記抵抗器の値はそれぞれのスイッチ回路によって異なっており、更に、前記各スイッチ手段と並列にそれぞれコンデンサーが接続されており、かつ、前記抵抗器とスイッチ手段の直列回路からなるスイッチ回路が並列に複数個接続された回路と並列に抵抗器が接続されており、かつ、前記接続用ケーブルの一方と直列に第２のスイッチ手段が接続されている切断回路と、
コンピューターを含み、前記コンピューターは自動的に指定された順序で前記スイッチ手段を切断する自動切断機能を実行することにより、前記切断回路に設けられた前記スイッチ手段のオン、オフを制御するスイッチ制御手段と
を備えたことを特徴とする活線切断支援装置。
【請求項２】
前記スイッチ制御手段は更に、手動スイッチの操作に基づき、前記リレー装置を所定の順序でのみオン、オフするように制御する手動切断機能も実行可能であることを特徴とする請求項１に記載の活線切断支援装置。
【請求項３】
前記コンピューターは前記電流測定表示回路の機能の実行も兼ねており、更に、自動切断機能の実行中にスイッチ手段のオフの前後における電流値の変化が予め定められた電流変化範囲を超えた場合に自動切断動作を中断することを特徴とする請求項１に記載の活線切断支援装置。
【発明の詳細な説明】
【技術分野】
【０００１】
本発明は、活線切断支援装置に関するものであり、特に簡単な構成でノイズの発生を抑圧しながら活線を切断することが可能な活線切断支援装置に関するものである。
【背景技術】
【０００２】
従来、直流電源が供給されている設備内の機器を稼働させたままの状態でフレームグランド線などの電線を切断する際に、いきなり切断すると過渡的な電位変動や電流変動のために動作中の機器の誤動作やリセットなどの悪影響を与える恐れがある。そこで、電線切断時の機器への悪影響を回避するために、過渡的な電位変動や電流変動を抑える装置として例えば下記特許文献１に記載されているような電線切断支援装置が提案されている。
【０００３】
この装置は、電線の切断予定箇所Ｐを含む区間の両端に接続用端子Ａ、Ｂが接続され、次に逆極性の直流電源と直列に接続されているトランジスタ１２の導通度が徐々に増大される。これにより、切断予定箇所Ｐに流れる電流Ｉに対して逆向きとなる電流Ｉａが流れ、電流Ｉが抑制され、バイパス回路に電流Ｉが流入する。この状態で切断予定箇所Ｐが切断される。そして、トランジスタ１２の導通度が零まで減少されることにより、流入電流Ｉが抑制される。この状態で接続用端子Ａ、Ｂが電線から取外される。
【先行技術文献】
【特許文献】
【０００４】
【特許文献１】特許第３１６５８０６号公報
【発明の概要】
【発明が解決しようとする課題】
【０００５】
上記したような従来の電線切断支援装置においては、大型の電源装置や大電流を制御できる大型のトランジスタが必要であり、かつ、トランジスタを能動領域で長時間動作させる必要があるという問題点があった。また、可変抵抗器を使用する場合には非常に小さな抵抗値から大きな抵抗値まで可変させる必要があり、かつ発熱が大きいので装置が大型化してしまうという問題点があった。
【０００６】
本発明の目的は、上記した従来の問題点を解決し、簡単な構成でノイズの発生を抑圧しながら活線を切断することが可能な活線切断支援装置を提供することにある。
【課題を解決するための手段】
【０００７】
本発明の活線切断支援装置は、電線の切断予定箇所の両端に接続可能な一対の接続用ケーブルと、前記一対の接続用ケーブルの間に接続され、抵抗器とスイッチ手段の直列回路からなるスイッチ回路が並列に複数個接続された回路を含み、かつ前記抵抗器の値はそれぞれのスイッチ回路によって異なっている切断回路と、前記切断回路に設けられた前記スイッチ手段のオン、オフを制御するスイッチ制御手段とを備えたことを主要な特徴とする。
【０００８】
また、前記した活線切断支援装置において、更に、複数の電流センサー手段と、前記複数の電流センサーから電流値を読み取って表示する電流測定表示回路とを備えた点にも特徴がある。
【０００９】
また、前記した活線切断支援装置において、前記スイッチ手段と並列にコンデンサが接続されており、更に前記切断回路と直列に第２のスイッチ手段が設けられており、前記スイッチ手段および前記第２のスイッチ手段はリレー装置であり、前記スイッチ制御手段は前記リレー装置の動作を制御する手動スイッチを含む点にも特徴がある。
【００１０】
また、前記した活線切断支援装置において、前記スイッチ制御手段は、前記手動スイッチの操作に基づき、前記リレー装置を所定の順序でのみオン、オフするように制御する点にも特徴がある。
【００１１】
また、前記した活線切断支援装置において、前記スイッチ制御手段はコンピューターを含み、前記コンピューターは自動的に指定された順序で前記リレー装置を切断する自動切断機能および手動スイッチの操作に基づき、前記リレー装置を所定の順序でのみオン、オフするように制御する手動切断機能を実行する点にも特徴がある。
【００１２】
また、前記した活線切断支援装置において、前記コンピューターは前記電流測定表示回路の機能の実行も兼ねており、更に、自動切断機能の実行中にスイッチ手段のオフの前後における電流値の変化が予め定められた電流変化範囲を超えた場合に自動切断動作を中断する点にも特徴がある。
【発明の効果】
【００１３】
本発明によれば、以下のような効果がある。
（１）簡単な構成でノイズの発生を抑圧しながら活線を切断することができる。
（２）発熱が少なく、装置を小型化できる。
（３）手動による順序切断あるいは自動切断が可能であり、誤操作を防止することができる。
【図面の簡単な説明】
【００１４】
【図１】図１は本発明の実施例１の構成を示すブロック図である。
【図２】図２は本発明の実施例１のリレー制御回路の構成を示す回路図である。
【図３】図３は本発明の実施例１の電流測定表示回路の構成を示すブロック図である。
【図４】図４は本発明の実施例２のリレー制御回路の構成を示す回路図である。
【図５】図５は本発明における切断回路の構成を示す回路図である。
【図６】図６は本発明の実施例３の構成を示すブロック図である。
【図７】図７は本発明の実施例３のリレー自動制御回路の構成を示すブロック図である。
【図８】図８は本発明の実施例３におけるＣＰＵの処理内容を示すフローチャートである。
【発明を実施するための形態】
【００１５】
以下に図面を参照して実施例について説明する。
【実施例１】
【００１６】
図１は本発明の実施例１の構成を示すブロック図である。実施例１の活線切断支援装置１０は、切断回路１１、リレー装置１２、リレー制御回路１３、電流測定表示回路１５、表示装置１６、電源回路１８、一対（２本）の接続ケーブル２０、２１、４個の電流プローブ２２〜２５を備えている。
【００１７】
切断回路１１は、図示されているように、一対の接続用ケーブル２０、２１の間に接続され、スイッチ手段であるリレー装置１２（Ｌ１〜Ｌ４）の接点（Ｓ１〜Ｓ４）およびこの接点と直列に接続された抵抗器（Ｒ１〜Ｒ４）からなるスイッチ回路が複数個並列に接続された回路網を含んでいる。複数の抵抗器（Ｒ１〜Ｒ４）の値はそれぞれのスイッチ回路によって異なっており、例えばＲ１が最も抵抗値が低く、添え字の数字が大きくなるほど抵抗値が大きいものとする。更に、各リレー装置の接点（Ｓ１〜Ｓ４）と並列にコンデンサ（Ｃ１〜Ｃ４）が接続されている。
【００１８】
更に、上述した回路網と並列に抵抗器Ｒ５（Ｒ５＞Ｒ４）が接続され、この回路網と抵抗器Ｒ５の並列回路の一端は一方の接続ケーブル２０と接続され、他端には第２のスイッチ手段であるリレーＬ５の接点Ｓ５の一端が接続されている。そして、リレーＬ５の接点Ｓ５の他端は他方の接続ケーブル２１と接続されている。接点Ｓ５のみが他の接点Ｓ１〜Ｓ４と直列に接続されている理由は、接点Ｓ５をオフにすることによって、コンデンサを含めて全ての素子が接続ケーブルから切断されるようにするためである。
【００１９】
リレー装置の接点および抵抗器からなるスイッチ回路の数は任意であるが、数が多いほどノイズの発生を抑えることが出来る。また抵抗値は、例えば等比級数的に値を決定してもよい。
【００２０】
切断回路１１においては、全てのリレーＬ１〜Ｌ５をオンにした場合の切断回路１１の抵抗値をなるべく低くし、かつ大電流を流す必要があるので、リレー装置１２の各リレーＬ１〜Ｌ５の内、特に最も小さい抵抗値の抵抗器Ｒ１と直列に接続されているリレーＬ１およびリレーＬ５については、オン時の接触抵抗値が小さく、かつ接点容量の大きなリレーを使用する。
【００２１】
２本の接続ケーブル２０、２１はそれぞれの一端が切断回路１１の両端に接続され、それぞれの他端には切断すべきケーブル３１の切断箇所の両側に接続し、切断後に取り外すためのクリップ２６が装着されている。
【００２２】
リレー制御回路１３は、リレー装置１２の動作を制御する手動スイッチＳＷ１〜ＳＷ５を含み、使用者による手動スイッチＳＷ１〜ＳＷ５の操作に基づいてリレー装置１２をオン、オフする。この機能は切断回路に設けられたスイッチ手段のオン、オフを制御するスイッチ制御手段に相当する。
【００２３】
電流測定表示回路１５は、複数（図１では４個）の電流センサー２２〜２５を備え、複数の電流センサー２２〜２５から電流値を読み取って表示する電流測定表示回路である。表示装置１６は例えば文字を表示可能な周知の液晶表示装置である。電源回路１８は、商用交流電源を入力して装置内の各装置に定電圧の直流電源を供給する周知の電源回路である。
【００２４】
次に、実施例１の活線切断支援装置１０の使用方法について説明する。例えば通信装置３０のフレームグランドＦＧ端子からフレームブランドの母線３２に接続されているアース線のケーブル３１を切断する場合、まず、装置の電源スイッチをオンにする。次に４つの電流センサー２２〜２５をそれぞれ所定の位置に所定の向きで取り付ける。
【００２５】
取り付け位置は、一方の接続ケーブル２０、切断すべきケーブル３１の切断箇所近傍、アース母線３２と切断すべきケーブル３１の接続点の両側とする。電流センサーを取り付けると、表示装置に電流値が表示されるので、切断すべきケーブル３１の電流値が所定の値（例えば５０アンペア）以下であることを確認する。
【００２６】
次に、手動スイッチＳＷ１〜ＳＷ５がオフであることを確認してから、クリップ２６を切断すべきケーブル３１の切断すべき箇所および電流センサーの外側に接続する。その後、ＳＷ１〜ＳＷ４をオンにし、最後にＳＷ５をオンにして切断回路を切断すべき箇所の両端に接続する。これで切断準備が完了する。
【００２７】
次に、ケーブル３１を切断箇所において切断する。そして、切断後に切断すべきケーブル３１の電流が０となり、また切断回路１１の電流値が所定の値（例えば５０アンペア）以下であることを確認する。
【００２８】
次に、ＳＷ１からＳＷ５の順にスイッチをオフにしていく。この際、スイッチを１つオフにする毎に電流値の変化が所定の範囲内であることを確認する。スイッチをオフにした場合の過渡状態はシステムにも依るが数１０ミリ秒程度で収まるものと予想されるので、使用者が電流値の変化を目視で確認しながら切断する場合には任意の早さで操作してもかまわない。これで電気的に全て切断されたので、クリップ２６および電流センサーを外して電源を切る。
【００２９】
本発明の活線切断支援装置は以上のような構成および動作によって、簡単な構成でノイズの発生を抑圧しながら活線を切断することができると共に、発熱が少なく、装置を小型化できる。
【００３０】
次に実施例の細部について説明する。図２は本発明の実施例１のリレー制御回路の構成を示す回路図である。実施例１のリレー制御回路１３は最もシンプルな構成の実施例であり、手動スイッチＳＷ１〜ＳＷ５の一端はアースに接続され、他端はそれぞれ対応するリレーＬ１〜Ｌ５のコイルの一端に直接接続されている。リレーＬ１〜Ｌ５のコイルの他端は電源に接続されているので、各スイッチＳＷ１〜ＳＷ５のオン、オフに従ってリレーＬ１〜Ｌ５がオン、オフする。
【００３１】
動作表示用の発光ダイオードＬＥＤ１〜ＬＥＤ５はそれぞれ対応するリレーＬ１〜Ｌ５のオン時に点灯し、オフ時には消灯する。なお、各リレーＬ１〜Ｌ５には逆起電力吸収用のダイオードが並列に接続されており、このダイオードには復旧時間を延ばす効果もある。
【００３２】
図３は本発明の実施例１の電流測定表示回路の構成を示すブロック図である。電流測定表示回路１５は１チップマイクロコンピューター（ＣＰＵ−Ａ）４０によって構成されている。ＣＰＵ−Ａ４０は、ＣＰＵ、ＲＯＭ、ＲＡＭ、多チャンネルＡ／Ｄ変換回路、デジタル入出力回路、ハードウェアタイマ回路等を備えている。なお、ＣＰＵ−Ａ４０としては、本発明の機能や処理速度を備えたものであれば、市販されている任意の１チップマイクロコンピューターを採用可能である。
【００３３】
ＣＰＵ−Ａ４０の内蔵ＲＯＭには処理を実行するためのプログラムが格納されており、ＣＰＵ−Ａ４０はこのプログラムの処理に基づき、各電流センサー２２〜２５の出力電圧を入力してＡ／Ｄ変換し、電流値に変換して、更に電流値を表わす文字列に変換して、表示装置１６に出力する。なお、このような処理は周知であり、当業者であれば容易に実施可能であるので詳細な説明は省略する。
【００３４】
なお、電流センサー２２〜２５は、ホール効果素子を内蔵し、電流センサーを電線に装着し、外部から両極性（＋および−）の電源を供給することにより、電線に流れる電流に比例した電圧を出力するセンサーであり、市販されている。また、各電流センサー２２〜２５とＣＰＵ−Ａ４０の間に接続されるレベル変換回路４１は、電流センサー２２〜２５の両極性の出力電圧をＣＰＵ−Ａ４０が入力可能な単極性のアナログ電圧に変換する抵抗回路網である。
【００３５】
図５は本発明における切断回路の構成を示す回路図である。図５（ａ）は、図１に記載した実施例１の切断回路である。この切断回路１１は、前述したように、リレー装置１２（Ｌ１〜Ｌ４）の接点（Ｓ１〜Ｓ４）およびこの接点と直列に接続された抵抗器（Ｒ１〜Ｒ４）からなるスイッチ回路が複数個並列に接続された回路網を含んでいる。複数の抵抗器（Ｒ１〜Ｒ４）の値はそれぞれのスイッチ回路によって異なっており、例えばＲ１が最も抵抗値が低く、添え字の数字が大きくなるほど抵抗値が大きい。更に、各リレー装置の接点（Ｓ１〜Ｓ４）と並列にコンデンサ（Ｃ１〜Ｃ４）が接続されている。
【００３６】
更に、上述した回路網と並列に抵抗器Ｒ５（Ｒ５＞Ｒ４）が接続され、この回路網と抵抗器Ｒ５の並列回路の一端は一方の接続ケーブル２０と接続され、他端にはリレーＬ５の接点Ｓ５の一端が接続されている。そして、リレーＬ５の接点Ｓ５の他端は一他方の接続ケーブル２１と接続されている。
【００３７】
リレー装置の接点および抵抗器からなるスイッチ回路の数は任意であるが、数が多いほどノイズの発生を抑えることが出来る。また抵抗値およびコンデンサの値は、実験やシミュレーション等により、各スイッチをオフにしていった場合のノイズ（電圧のオーバーシュートやアンダーシュート）がなるべく小さくかつ均等になるように決定すればよいが、例えば抵抗値を１０ミリオームから１００オーム程度の範囲で等比級数的に決定してもよい。なお、Ｒ１については実際には配線コードの抵抗値程度の値（例えば１０ミリオーム程度）であるので、抵抗素子は使用せず、配線コードを抵抗器として使用してもよい。コンデンサの値は例えば数十〜数百μＦ（マイクロファラッド）でもよい。接点Ｓ５をオフにした後には各コンデンサＣ１〜Ｃ５に充電されている電荷は抵抗Ｒ５を介して放電されるので安全である。
【００３８】
図５（ｂ）は、コンデンサを使用せず、抵抗器Ｒ１〜Ｒ５および接点Ｓ１〜Ｓ５の直列回路を全て並列に接続した実施例である。コンデンサを使用しない場合は、全ての接点を並列に接続しても、全ての接点をオフにすれば切断回路は完全に切断される。また、全ての接点をオンにした場合の抵抗値は（ａ）の場合よりも接点Ｓ５の分だけ小さくなる。
図５（ｃ）は、コンデンサを使用し、かつ抵抗器Ｒ１〜Ｒ５および接点Ｓ１〜Ｓ５の直列回路を全て並列に接続した実施例である。この場合も接点Ｓ５をオフにすれば切断回路は完全に切断され、全ての接点をオンにした場合の抵抗値は（ａ）の場合よりも接点Ｓ５の分だけ小さくなる。
【００３９】
図５（ｄ）は、図５（ａ）の実施例に、更にコンデンサチェック用端子Ｔ１〜Ｔ４、コンデンサ増設用端子Ｔ１ｂを設けた例である。コンデンサチェック用端子Ｔ１〜Ｔ４は、コンデンサＣ１〜Ｃ４の健全性、容量の確認が容易にできるように設けた、コンデンサの両端と接続された外部装置接続用端子であり、装置１０のパネルに設ける。
コンデンサ増設用端子Ｔ１ｂは、コンデンサ容量が不足しているときに、安全にコンデンサを追加することができるように設けられた増設用端子である。コンデンサ増設用端子Ｔ１ｂは手動スイッチＢの接点を介してコンデンサＣ１の両端と接続されている。手動スイッチＢは必須ではないが、通常は増設用端子をむき出しにしていると危険であるので、スイッチＢをオフにしておくことにより安全性が向上する。また、接続状態(線切断後）で電流が想定値を上回った場合でもコンデンサを増設用端子に接続してからスイッチＢをオンにすることによりコンデンサを安全に増設できる。
コンデンサＣ１にのみ増設用端子を設ける理由は、コンデンサＣ１が最も小さい抵抗Ｒ１を介して切断点の両端に接続されるので、過渡状態におけるノイズの吸収効果が一番大きいためであるが、増設用端子を他のコンデンサＣ２〜Ｃ４にも設けてもよい。
【実施例２】
【００４０】
図４は本発明の実施例２のリレー制御回路の構成を示す回路図である。図２に示した実施例１のリレー制御回路１３においては、単にスイッチＳＷ１〜ＳＷ５のオン、オフに従って、対応するリレーＬ１〜Ｌ５がオン、オフするものであるので、例えばケーブル３１を切断した後に、使用者が誤ってスイッチＳＷ５をオフにしてしまうと切断回路１１がいきなり完全に切断されてしまう恐れがある。実施例２は、上記したような誤操作による切断を防止し、手動スイッチＳＷ１〜ＳＷ５の操作に基づき、リレーＬ１〜Ｌ５が所定の順序でのみオン、オフするように制御するものである。
【００４１】
実施例２においては、リレーＬ１〜Ｌ５として多接点回路（実施例２では３回路）のリレーを使用し、接点回路の１つは切断回路１１において使用し、残りの２つはリレー制御回路１３において使用する。回路構成は図示されているように、リレーＬ（ｎ）（ｎは１〜５）のコイルとスイッチＳＷｎの間にリレーＬ（ｎ＋１）のａ接点Ｓ（ｎ＋１）ｂが挿入され、また、リレーＬ（ｎ）（ｎは１〜５）のコイルとアースの間にリレーＬ（ｎ−１）のａ接点Ｓ（ｎ−１）ｃが挿入されている。但し、Ｓ６ｂは直結（リレーＬ５はスイッチＳＷ５と直結）、Ｓ０ｃは開放（Ｓ０ｃは無い）である。
【００４２】
実施例２においては、ＳＷ１〜ＳＷ５が全てオフの状態ではリレーＬ１〜Ｌ５全てがオフであり、この初期状態からＳＷ５→ＳＷ４→ＳＷ３→ＳＷ２→ＳＷ１の順にスイッチをオンしていくとリレーＬ５〜Ｌ１が順にオンになる。しかし初期状態でＳＷ５以外のスイッチをオンにしてもリレーはオンにはならない。
【００４３】
また、全てのスイッチおよびリレーがオンの状態からは、ＳＷ１→ＳＷ２→ＳＷ３→ＳＷ４→ＳＷ５の順にスイッチをオフしていった場合にのみリレーＬ１〜Ｌ５が順にオフになるが、全てオン状態からＳＷ１以外のスイッチをオフにしてもリレーはオフにはならない。なお、全てオン状態からＳＷ１以外のスイッチを全てオフにし、最後にＳＷ１をオフにした場合には、リレーＬ１〜Ｌ５が各リレーの復旧時間だけ遅れてこの順にオフになる。
【００４４】
また、オフになる順序のみを規制したい場合には、リレーＬ（ｎ）（ｎは１〜５）のコイルとスイッチＳＷｎの間は直結でよく、リレーＬ（ｎ）（ｎは１〜５）のコイルとアースの間にリレーＬ（ｎ−１）のａ接点Ｓ（ｎ−１）ｃを挿入すればよい。但し、Ｓ０ｃは開放（Ｓ０ｃは無い）である。
【００４５】
実施例２においては多回路のリレーを用いる必要があるが、切断回路１１で使用するＳ１、Ｓ５接点は特に低抵抗、大容量の接点が必要であり、大容量で多回路のリレーは大型となり、かつ高価である。そこで、リレーＬ１〜Ｌ５と並列に多回路の小型リレーを接続し、この小型リレーの接点を用いてリレー制御回路１３を構成するか、あるいはリレー制御回路１３内において多回路の小型リレーを用いてリレー制御回路１３を構成すると共に、この小型リレーでリレーＬ１〜Ｌ５を駆動するようにしてもよい。
【実施例３】
【００４６】
図６は本発明の実施例３の構成を示すブロック図である。実施例３は、１チップマイクロコンピューターを使用し、電流値を参照しながらリレーを所定の順序で自動的に切断していくことが可能な実施例である。実施例１と異なる点は、実施例１におけるリレー制御回路１３および電流測定表示回路１５がリレー自動制御回路５０に統合されており、更に実施例１、２には無い自動切断機能が付加されている点である。
【００４７】
図７は本発明の実施例３のリレー自動制御回路５０の構成を示すブロック図である。リレー自動制御回路５０は、１チップマイクロコンピューター（ＣＰＵ−Ｂ）５１、リレーを駆動するためのＦＥＴ１〜ＦＥＴ５、リレー動作表示用のＬＥＤ１〜ＬＥＤ５、手動スイッチＳＷ１〜ＳＷ５、スタートスイッチＳＷｓ、ストップスイッチＳＷｐ、図示しないレベル変換回路（４１）を含んでいる。
【００４８】
ＣＰＵ−Ｂ５１は、ＣＰＵ、ＲＯＭ、ＲＡＭ、多チャンネルＡ／Ｄ変換回路、デジタル入出力回路、ハードウェアタイマ回路等を備えている。なお、ＣＰＵ−Ｂ５１としては、本発明の機能や処理速度を備えたものであれば、市販されている任意の１チップマイクロコンピューターを採用可能である。ＣＰＵ−Ｂ５１の内蔵ＲＯＭには処理を実行するためのプログラムが格納されており、ＣＰＵ−Ｂ５１はこのプログラムの処理に基づき、後述する処理を実行する。
【００４９】
図８は本発明の実施例３におけるＣＰＵ−Ｂの処理内容を示すフローチャートである。装置の電源がオンされると、Ｓ１０においてはリレーＬ１〜Ｌ５の駆動状態（ＦＥＴ１〜ＦＥＴ５の状態）を全てオフにすると共にＣＰＵ−Ｂ内部に保存されているＳＷ状態の初期値を全てオフにする。その後、手動ＳＷの状態を繰り返し読み込み、全てオフになるまで待つ。
【００５０】
Ｓ１１〜Ｓ１９の処理ループはスイッチＳＷ１〜ＳＷ５の操作に従ってリレーＬ１〜Ｌ５が動作する手動モード（実施例２と同様の動作をするモード）と対応する。Ｓ１１においては各電流センサー２２〜２５の出力電圧を順に入力してＡ／Ｄ変換し、電流値に変換し、更に電流値を表わす文字列に変換して、表示装置１６に出力する。この機能は電流測定表示回路の機能に相当する。
【００５１】
Ｓ１２においては電流値が予め設定されている許容限度内か否かが判定され、判定結果が否定の場合にはＳ１３に移行するが、肯定の場合にはＳ１４に移行する。Ｓ１３においては表示装置に電流値異常を表示し、Ｓ１１に移行する。Ｓ１４においては自動モードをスタートさせるスタートスイッチＳＷｓがオンであるか否かが判定され、判定結果が否定の場合にはＳ１５に移行するが、肯定の場合にはＳ２０に移行する。
【００５２】
Ｓ１５においては同じ番号のリレーのオン、オフの指示を手動で行うための手動スイッチＳＷ１〜ＳＷ５の状態を読み込み、保存する。Ｓ１６においては、前回保存したＳＷ状態と今回読み込んだＳＷ状態を比較することによって、手動スイッチの状態が変化したか否かが判定され、判定結果が否定の場合にはＳ１１に移行するが、肯定の場合にはＳ１７に移行する。
【００５３】
Ｓ１７においては、後述するタイマーがタイムアップしているか否かによって、前回のリレーの状態変更から所定時間が経過したか否かが判定され、判定結果が否定の場合にはＳ１１に移行するが、肯定の場合にはＳ１８に移行する。Ｓ１８においてはリレー状態の変更可能条件を満足しているか否かが判定され、判定結果が否定の場合にはＳ１１に移行するが、肯定の場合にはＳ１９に移行する。
【００５４】
変更可能条件としては、例えば実施例２の装置の動作と同様の条件としてもよい。即ち、Ｌ（ｎ）（ｎは０〜５の整数）までがオフ、Ｌ（ｎ＋１）以上がオンである場合、Ｌ（ｎ＋１）をオンからオフに変更するか、あるいはＬ（ｎ）をオフからオンに変更する指示のみ認めるようにする。
【００５５】
Ｓ１９においてはスイッチによって指示されたリレーの状態を指示に合わせて反転させると共に、所定の時間を計測するソフトウェアあるいはハードウェアのタイマーを起動する。計測時間は切断する線を含む電気系統の過渡応答が収まる程度の時間以上であれば任意であり、操作者が目視にて電流変化を確認できる程度の時間であってもよい。
【００５６】
自動切断のスタートスイッチＳＷｓがオンになった場合にはＳ１４からＳ２０に移行する。Ｓ２０〜Ｓ３１までがリレーＬ１〜Ｌ５をこの順で自動的に切断していく自動モードに対応する。Ｓ２０においてはリレーが全てオンか否かが判定され、判定結果が否定の場合には「全てオンフラグ」をオフにしてＳ３２に移行するが、肯定の場合には「全てオンフラグ」をオンにしてＳ２１に移行する。
【００５７】
Ｓ２１においては変数ｎを０にセットする。ｎを０から始める理由は、手動モードでリレーが全てオンになった直後にスタートスイッチがオンであると自動モードに移行し、直ちにリレーＬ１がオフになることを防止するためである。
【００５８】
Ｓ２２においてはＳ１１あるいはＳ２６において読み込まれた現在の電流値を保存する。この処理は、リレーオフ時の電流値の変化を算出するためのものである。Ｓ２３においては第ｎ番目のリレーＬ（ｎ）をオフにする。なおｎが０の場合には何もしない。Ｓ２４においてはＳ１９と同じタイマーを起動する。
【００５９】
Ｓ２５においてはストップスイッチＳＷｐがオンになったか否かが判定され、判定結果が否定の場合には「ストップスイッチオンフラグ」をオフにしてＳ２６に移行するが、肯定の場合には「ストップスイッチオンフラグ」をオンにしてＳ３２に移行する。Ｓ２６においてはＳ１１と同様に各電流センサーの電流値を読み込み、表示する。Ｓ２７においてはタイマーがタイムアップしたか否かが判定され、判定結果が否定の場合にはＳ２５に移行するが、肯定の場合にはＳ２８に移行する。
【００６０】
Ｓ２８においてはＳ２２において保存した電流値からＳ２６において読み込んだ電流値を減算して電流変化を求め、電流変化が所定の範囲内に収まっているか否かが判定され、判定結果が否定の場合には「電流変化異常フラグ」をオンにしてＳ３２に移行するが、肯定の場合には「電流変化異常フラグ」をオフにしてＳ２９に移行する。
【００６１】
なお、電流変化の許容範囲の上限については、リレーオフ時の電流変化が大きくても、既にオフした後であるので、自動モードを止めてもリカバリーはできない。一方、下限については、リレーオフ時の電流変化が小さい場合には、今後より抵抗値の大きなリレーをオフした場合に電流変化が大きくなる恐れがあるので、許容範囲の下限も判定する。
【００６２】
Ｓ２９においては変数ｎに１を加算する。Ｓ３０においてはｎが５より大きいか否かが判定され、判定結果が否定の場合にはＳに移行するが、肯定の場合にはＳに移行する。Ｓ３１においては表示装置に正常終了を表示してＳ１１の手動モードに移行する。
【００６３】
Ｓ２０、Ｓ２５およびＳ２８において自動モードを中断すべきであると判定された場合にはＳ３２に移行し、Ｓ３２〜Ｓ３５においては自動モードから手動モードへの切り替えに必要な処理が行われる。自動モードが異常終了した場合に、現在のリレーの状態と手動スイッチＳＷ１〜ＳＷ５の状態が一致していないと手動モードに戻った直後にリレーの駆動状態が変化してしまう恐れがある。この処理は、現在のリレーの状態と手動スイッチＳＷ１〜ＳＷ５の状態が一致するまで待ち、一致後に手動モードに移行するための処理である。
【００６４】
Ｓ３２においては、前記した複数のフラグを参照して表示装置に「異常終了」および「中断原因」を表示する。Ｓ３３においてはＳ１１と同様に各電流センサーの電流値を読み込み、表示する。Ｓ３４においては手動スイッチＳＷ１〜ＳＷ５の状態を読み込む。Ｓ３５においてはリレーＬ１〜Ｌ５の現在の駆動状態と手動スイッチＳＷ１〜ＳＷ５の状態とが一致しているか否かが判定され、判定結果が否定の場合にはＳ３２に移行するが、肯定の場合にはＳ１１の手動モードに移行する。
【００６５】
以上の処理は、自動的に指定された順序でリレー装置を切断すると共に、自動切断機能の実行中にスイッチ手段のオフの前後における電流値の変化が予め定められた電流変化範囲を超えた場合に自動切断動作を中断する自動切断機能および手動スイッチの操作に基づいてリレー装置を所定の順序でのみオン、オフするように制御する手動切断機能に相当する。
【００６６】
以上、実施例について説明したが、以下のような変形例も考えられる。実施例３においては、ケーブルの切断の可否については、使用者が表示装置１６に表示される電流値や異常を表示する文字を視認して判断する例を開示したが、例えばＣＰＵ−Ｂ５１のデジタル出力端子にランプ駆動回路を接続し、プログラムによって、装置の状態、測定した電流値および切断可能電流値より切断の可否を判定して、切断不可の場合にはランプを点灯させるようにしてもよい。このようにすれば、使用者が切断不可にも関わらず切断操作を行ってしまう誤操作を防止できる。
【産業上の利用可能性】
【００６７】
本発明は例えばデータ通信、交換装置の保守装置などに適用可能である。
【符号の説明】
【００６８】
１０…活線切断支援装置
１１…切断回路
１２…リレー装置
１３…リレー制御回路
１５…電流測定表示回路
１６…表示装置
１８…電源回路
２０、２１…接続ケーブル
２２〜２５…電流プローブ
３０…通信装置
３１…切断するケーブル
【図１】
0005810400.tif 000002
【図２】
0005810400.tif 000003
【図３】
0005810400.tif 000004
【図４】
0005810400.tif 000005
【図５】
0005810400.tif 000006
【図６】
0005810400.tif 000007
【図７】
0005810400.tif 000008
【図８】
0005810400.tif 000009